(57)【要約】【課題】液晶表示パネルの基板表面における正確な貼り付け位置に容易に偏光板を貼り付ける。【解決手段】貼り合わされた両マザー基板を各パネル形成領域９の各表示部１０が相互に隣り合うようにスティック状に分断してスティック状セル２Ａとし、スティック状セル２Ａの基板表面に、スティック状の偏光板４Ａを貼り付けた後、スティック状セル２Ａとスティック状の偏光板４Ａとを分断位置に沿って一括して分断する。【選択図】            図１
2004325888.tif 000002
【特許請求の範囲】
【請求項１】
複数のパネル形成領域を備えた一対のマザー基板を前記各パネル形成領域がそれぞれ対向するように相互に貼り合わせ、個々の前記各パネル形成領域ごとに分断する液晶表示パネルの製造方法において、
前記相互に貼り合わされた両マザー基板を前記各パネル形成領域の各表示部が相互に隣り合うように位置されたスティック状セルに分断し、前記スティック状セルの表面に、全部の前記各表示部に対応する大きさのスティック状の偏光板を貼り付け、前記スティック状の偏光板を前記各パネル形成領域の間の分断位置に沿って分断することを特徴とする液晶表示パネルの製造方法。
【請求項２】
前記スティック状の偏光板を貼り付けた後、前記スティック状セルの両基板と前記スティック状の偏光板とを前記分断位置に沿って一括して分断する請求項１に記載の液晶表示パネルの製造方法。
【請求項３】
前記スティック状セルの前記分断位置に分断溝を形成し、前記スティック状セルの表面に前記スティック状の偏光板を貼り付け、前記スティック状の偏光板を前記分断位置に沿って分断した後、前記スティック状セルの両基板を前記分断溝に沿って分断する請求項１に記載の液晶表示パネルの製造方法。
【請求項４】
互いに対向する一対のパネル基板を備え、前記両パネル基板のうち一方のパネル基板は他方のパネル基板よりも平面上突出する突出部が形成され、前記両パネル基板の表面に偏光板が貼り付けられている液晶表示パネルにおいて、
前記偏光板は、前記偏光板の端辺のうち、前記突出部が形成されていない側の対向する両辺が前記両パネル基板の対向する両側縁に沿い、前記偏光板の対向する他の両辺が前記両パネル基板の表示部よりも両端縁側に位置するように配置されていることを特徴とする液晶表示パネル。
【発明の詳細な説明】
【０００１】
【発明の属する技術分野】
本発明は液晶表示パネルの製造方法および液晶表示パネルに係り、特に、複数個の液晶表示パネルを同時に製造する場合の液晶表示パネルの製造方法および液晶表示パネルに関する。
【０００２】
【従来の技術】
従来より、特定の図形や文字等の情報を表示するための液晶表示パネルが内蔵された液晶表示装置がコンピュータや携帯電話等の表示装置として多く用いられている。
【０００３】
前記液晶表示パネルの製造を行うには、まず、平面積の大きな一対のマザー基板を用意し、複数のパネル形成領域を相互に隣りあって位置するように設定する。
【０００４】
続いて、前記各マザー基板の相互に対向する内側における各パネル形成領域のうち液晶表示パネルとして表示を行う部分である表示部に、それぞれ、透明導電膜、配向膜等を形成する。
【０００５】
次に、前記各パネル形成領域の位置合わせを行いつつ、前記両マザー基板を前記各表示部を囲むような枠状のシール材によって貼り合わせる。
【０００６】
その後、貼り合わされた両マザー基板を複数のスティック状セルあるいは単セルに分断して液晶注入口を開口させ、その液晶注入口から、両基板とシール材とに囲まれた空洞部分に液晶を注入して、この液晶注入口を封止する。
【０００７】
さらに、前記貼り合わされた両マザー基板がスティック状セルに分断された場合には各パネル形成領域毎に個々に分断し単セルとした後、前記単セルの表面の表示部に相当する位置にそれぞれ偏光板を貼り付ける。このようにして、マザー基板から複数個の液晶表示パネルを同時に製造していた（特許文献１参照）。
【０００８】
【特許文献１】
特開平２００２−２９６５７４号公報
【０００９】
【発明が解決しようとする課題】
しかし、近年液晶表示装置が用いられる携帯電話等の小型化にともない、液晶表示パネルにおける表示部の周辺部分の非表示部であるいわゆる額縁が狭く形成された液晶表示パネルが多く製造されるようになっている。
【００１０】
このような額縁が狭い液晶表示パネルに偏光板を貼り付けるには、前記偏光板の各４辺が前記狭い額縁内に配置されるように位置合わせを行わなければならないため、その貼り付け位置について高度の位置合わせ精度が必要となり、偏光板の貼り付けが困難になっていた。このため、液晶表示パネルに対する偏光板の貼り付け位置にずれが生じてしまうおそれがあった。
【００１１】
本発明はこれらの点に鑑みてなされたものであり、液晶表示パネルにおける正確な貼り付け位置に容易に偏光板を貼り付けることができる液晶表示パネルの製造方法および液晶表示パネルを提供することを目的とする。
【００１２】
【課題を解決するための手段】
前記目的を達成するため、請求項１の発明に係る液晶表示パネルの製造方法の特徴は、複数のパネル形成領域を備えた一対のマザー基板を前記各パネル形成領域がそれぞれ対向するように相互に貼り合わせ、個々の前記各パネル形成領域ごとに分断する液晶表示パネルの製造方法において、前記相互に貼り合わされた両マザー基板を前記各パネル形成領域の各表示部が相互に隣り合うように位置されたスティック状セルに分断し、スティック状セルの表面に、全部の前記各表示部に対応する大きさのスティック状の偏光板を貼り付け、前記スティック状の偏光板を前記各パネル形成領域の間の分断位置に沿って分断する点にある。
【００１３】
請求項２の発明に係る液晶表示パネルの製造方法の特徴は、前記スティック状の偏光板を貼り付けた後、前記スティック状セルの両基板と前記スティック状の偏光板とを前記分断位置に沿って一括して分断する点にある。
【００１４】
請求項３の発明に係る液晶表示パネルの製造方法の特徴は、前記両スティック状セルの前記分断位置に分断溝を形成し、前記スティック状セルの表面に前記スティック状の偏光板を貼り付け、前記スティック状の偏光板を前記分断位置に沿って分断した後、前記スティック状セルの両基板を前記分断溝に沿って分断する点にある。
【００１５】
請求項４の発明に係る液晶表示パネルの特徴は、互いに対向する一対のパネル基板を備え、前記両パネル基板のうち一方のパネル基板は他方のパネル基板の端縁よりも平面上突出する突出部が形成され、前記両パネル基板の表面に偏光板が貼り付けられている液晶表示パネルにおいて、前記偏光板は、前記偏光板の端辺のうち前記突出部が形成されていない側の対向する両辺が前記両パネル基板の対向する両側縁に沿い、前記偏光板の対向する他の両辺が前記両パネル基板の表示部よりも両端縁側に位置するように配置されている点にある。
【００１６】
この本発明に記載の液晶表示パネルの製造方法および液晶表示パネルによれば、スティック状セルの両基板表面にスティック状の偏光板を貼り付ける際、スティック状の偏光板における対向する２辺についてのみ表示部よりも両端縁側に位置するように位置合わせを行えばよい。そして、前記スティック状の偏光板の貼り付けを行った後に、前記スティック状の偏光板を各パネル形成領域の間の分断位置において切り離すことによって、液晶表示パネルにおける正確な貼り付け位置に偏光板を貼り付けることができる。
【００１７】
【発明の実施の形態】
以下、本発明に係る液晶表示パネルの製造方法および液晶表示パネルの実施形態を図１から図８を参照して説明する。
【００１８】
図１に示すように、本実施形態の液晶表示パネル１は、一対のパネル基板２を有しており、前記両パネル基板２のうち一方のパネル基板２は一端辺が他方のパネル基板２の一端辺よりも平面上突出した突出部が形成されている。両パネル基板２の相互に対向する内面には、図示しない透明導電膜や配向膜が形成されている。両パネル基板２は、シール材３を介して一体に貼り合わされており、両パネル基板２およびシール材３によって囲まれた空洞部分には液晶（図示せず）が封入されている。両パネル基板２の外側表面には、偏光板４が、その図１における左右両辺が前記両パネル基板の両側縁（図１における左右両側縁）に沿い、図１における上下両辺が前記両パネル基板２の対向する額縁５内に位置するように貼り付けられている。
【００１９】
前記液晶表示パネル１の製造方法は、まず、図２に示すように、ガラス等からなる平面積の大きな一対のマザー基板を用意し、複数のパネル形成領域を一方向に相互に隣り合って位置するように設定し、前記両マザー基板の相互に対向する面における前記各パネル形成領域の各表示部上に、それぞれ透明導電膜、配向膜等を形成する（ＳＴ１）。
【００２０】
次に、前記両マザー基板のうち一方に、前記各表示部を囲む枠状のシール材を塗布する。このとき、前記シール材の一辺部には、このシール材および両マザー基板によって囲まれた空間内に液晶を注入するための注入口を形成する。一方、前記シール材が形成されない他方のマザー基板には、スペーサを散布する。そして、シール材が塗布された一方のマザー基板と、スペーサが散布された他方のマザー基板とを、それぞれのパネル形成領域の位置合わせを行いつつ重ね合わせ、前記シール材を加熱硬化させることによって貼り合わせる（ＳＴ２）。
【００２１】
前記貼り合わせが行われたマザー基板における各パネル形成領域の間の分断位置のうち一方向に沿って分断溝を形成し、その分断溝に沿って押圧力を介して折ることにより、図３に示すように、前記両マザー基板を、複数のパネル形成領域９のシール材３で囲まれた領域の表示部１０が隣り合って位置するようなスティック状に分断し、スティック状セル２Ａとする（ＳＴ３）。この分断工程において、液晶の注入口１１が露出されるようになっている。
【００２２】
この注入口１１を介して両パネル基板２およびシール材３によって囲まれた空洞部分に液晶を注入した後、前記注入口１１を封止する（ＳＴ４）。
【００２３】
続いて、図４に示すように、前記スティック状セル２Ａの外側に、前記各パネル形成領域９の全部の各表示部１０に対応する大きさのスティック状の偏光板４Ａを貼り付ける（ＳＴ５）。すなわち、このスティック状の偏光板４Ａは、前記スティック状セル２Ａにおける隣り合う各パネル形成領域９の各偏光板４と連接して形成されており、図３における上下両辺が各パネル形成領域９の額縁５内に入るように位置される。
【００２４】
そして、前記スティック状の偏光板４Ａを貼り付けたスティック状セル２Ａにおける各パネル形成領域９の間の図３における縦方向の各分断位置に沿ってレーザーの照射等の方法により、前記スティック状の偏光板４Ａと前記スティック状セル２Ａの両基板とを一緒に各パネル形成領域９毎に切り離すことにより、前記スティック状セル２Ａを個々の液晶表示パネル１に分断して（ＳＴ６）、図１に示すような各液晶表示パネル１を製造する。
【００２５】
次に、本発明の液晶表示パネルの製造方法の第２の実施形態について図５および図６を参照して説明する。
【００２６】
ここで、第２実施形態では、第１実施形態の両マザー基板に透明導電膜等を形成し（ＳＴ１）、その後、液晶を注入して注入口を封止する（ＳＴ４）工程までは同じなので、説明を省略する。また、第１の実施形態の基本的構成が同一する箇所については同一の符号を用いて説明する。
【００２７】
前記スティック状セル２Ａにおいて、注入口１１を封止した後、各分断位置に沿って分断溝１３を形成する（ＳＴ１１）。
【００２８】
続いて、図６に示すように、前記スティック状セル２Ａの表面に、スティック状の偏光板４Ａを貼り付ける（ＳＴ１２）。このスティック状の偏光板４Ａも、第１実施形態と同じように位置される。
【００２９】
その後、前記スティック状の偏光板４Ａを、各パネル形成領域９の間の分断位置に沿ってカッター切断法等によって分断する（ＳＴ１３）。
【００３０】
そして、前記スティック状セル２Ａを、前記分断溝１３に沿って押圧力を介して各パネル形成領域９毎に切り離すことにより、前記スティック状セル２Ａを個々の液晶表示パネル１に分断して（ＳＴ１４）、図１に示すような各液晶表示パネル１を製造する。
【００３１】
なお、前記各第１および２の実施形態においては、平面積の大きな一対のマザー基板に透明導電膜等を形成し一体に貼り合わせた後スティック状に分断してスティック状セルを形成するが、これに限定されず、例えばスティック状の一対のマザー基板に透明導電膜等を形成し一体に貼り合わせてスティック状セルとしてもよい。
【００３２】
従って、額縁５が狭い液晶表示パネル１であっても、高度な位置合わせ精度を必要とせず、容易に正確な貼り付け位置に偏光板４を貼り付けることができる。
【００３３】
なお、本発明は前記実施形態に限定されるものではなく、必要に応じて種々変更することが可能である。
【００３４】
例えば、両マザー基板、スティック状セル２Ａまたは各スティック状の偏光板４Ａの分断工程においては、本実施形態の分断方法に限定されず、種々の分断方法を用いることができる。
【００３５】
【発明の効果】
以上述べたように、本発明に係る液晶表示パネルの製造方法および液晶表示パネルによれば、スティック状の偏光板をその対向する２辺についてのみ位置合わせを行って貼り付けた後、前記スティック状の偏光板を各パネル形成領域の間の分断位置において分断することにより、偏光板を正確な貼り付け位置に貼り付けることができる。このため、額縁が狭い液晶表示パネルであっても、高度な位置合わせ精度を必要とせず、容易に正確な貼り付け位置に偏光板を貼り付けることができる。
【図面の簡単な説明】
【図１】本発明に係る液晶表示パネルの一実施形態を示す模式的平面図
【図２】図１の液晶表示パネルの製造方法の第１の実施形態を示すフローチャート
【図３】図２の液晶表示パネルの製造方法においてスティック状の偏光板を貼り付けたスティック状セルを示す模式的平面図
【図４】図３のスティック状セルを矢印Ａ方向から視認した場合を示す模式的側面図
【図５】図１の液晶表示パネルの製造方法の第２の実施形態を示すフローチャート
【図６】図５の液晶表示パネルの製造方法においてスティック状の偏光板を貼り付けたスティック状セルを示す模式的側面図
【符号の説明】
１  液晶表示パネル
２  パネル基板
２Ａ  スティック状セル
４  偏光板
４Ａ  スティック状の偏光板
５  額縁
９  パネル形成領域
１０  表示部
【図１】
2004325888.tif 000003
【図２】
2004325888.tif 000004
【図３】
2004325888.tif 000005
【図４】
2004325888.tif 000006
【図５】
2004325888.tif 000007
【図６】
2004325888.tif 000008